(57)【要約】【課題】吐水流量に拠らず吐水流を変化させることができる吐水装置を提供する。【解決手段】吐水装置１００は、左右方向の幅が広いスリット状の吐出口２０を備え、水を浴槽へ吐出する。吐水装置１００は、吐出口２０から吐出される水が到達する距離を可変する距離可変部３を有する。【選択図】図４
2019208636.tif 000002
【特許請求の範囲】
【請求項１】
左右方向の幅が広いスリット状の吐出口を備え、水を浴槽へ吐出する吐水装置において、
前記吐出口から吐出される水が到達する距離を可変する距離可変部を有することを特徴とする吐水装置。
【請求項２】
前記距離可変部は、前記吐出口の上縁部から前方へ延び、前記上縁部に左右方向の軸まわりに回動可能に支持された遮蔽部材を有することを特徴とする請求項１に記載の吐水装置。
【請求項３】
前記距離可変部は、前記吐出口の上縁部または下縁部から突出可能な案内部材を有することを特徴とする請求項１に記載の吐水装置。
【請求項４】
前記距離可変部は、前後方向に摺動して前記吐出口の上下方向の幅を可変する楔状部材を有することを特徴とする請求項１に記載の吐水装置。
【請求項５】
前記距離可変部は、前記吐出口が形成されており、上下方向に摺動して前記吐出口の上下方向の位置を可変する摺動部材を有することを特徴とする請求項１に記載の吐水装置。
【請求項６】
前記距離可変部は、複数の前記吐出口が上下方向に併設されており、上下方向に摺動して水を吐出する前記吐出口を切り替える切替部材を有することを特徴とする請求項１に記載の吐水装置。
【発明の詳細な説明】
【技術分野】
【０００１】
本発明は、浴槽に用いる吐水装置に関する。
【背景技術】
【０００２】
例えば、特許文献１には、水を吐出する吐出口、上流側から流入する水を溜めるための貯留室、および貯留室内の水を吐出口へ送り出すための絞り流路を有する吐出通路が内部に形成された吐水装置が開示されている。吐水装置は、横長なスリット状の吐出口から膜状の吐水流を吐出する。
【先行技術文献】
【特許文献】
【０００３】
【特許文献１】特開２０１６−００８４２９号公報
【発明の概要】
【発明が解決しようとする課題】
【０００４】
特許文献１に記載の吐水装置は、浴槽の上縁部等に配置され、ユーザの肩などに膜状の吐水流を当てる。例えば、吐水装置は、流量を調整することで吐水流の浴び心地に変化をつけることが可能である。しかし、流量調節だけでは、流量と吐水流の到達距離が比例するため、遠くの位置で浴びる場合には流量が大きく、近くの位置で浴びる場合には流量が小さくなり、吐水流をユーザの嗜好に合わせて十分に楽しむことができなかった。
【０００５】
本発明は、斯かる事情に鑑みてなされたものであり、その目的とするところは、吐水流量に拠らず吐水流を変化させることができる吐水装置を提供することにある。
【課題を解決するための手段】
【０００６】
本発明に係る吐水装置は、左右方向の幅が広いスリット状の吐出口を備え、水を浴槽へ吐出する吐水装置において、前記吐出口から吐出される水が到達する距離を可変する距離可変部を有することを特徴とする。
【発明の効果】
【０００７】
本発明によれば、吐水装置は、吐水流量に拠らず吐水流を変化させることができる。
【図面の簡単な説明】
【０００８】
【図１】実施形態１に係る吐水装置を含む浴槽装置の外観を示す斜視図である。
【図２】吐水装置に用いられる給水系を示す構成図である。
【図３】吐水装置の正面図である。
【図４】図３に示すＡ−Ａ線による吐水装置の断面図である。
【図５】図５（ａ）、図５（ｂ）および図５（ｃ）は、実施形態２に係る吐水装置における図３に示すＡ−Ａ線による断面に相当する断面図である。
【図６】図６（ａ）および図６（ｂ）は、実施形態３に係る吐水装置における図３に示すＡ−Ａ線による断面に相当する断面図である。
【図７】実施形態４に係る吐水装置における図３に示すＡ−Ａ線による断面に相当する断面図である。
【図８】変形例に係る吐水装置における図３に示すＡ−Ａ線による断面に相当する断面図である。
【発明を実施するための形態】
【０００９】
以下、本発明を好適な実施の形態をもとに図１から図８を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
（実施形態１）
図１は実施形態１に係る吐水装置１００を含む浴槽装置１０１の外観を示す斜視図であり、図２は吐水装置１００に用いられる給水系を示す構成図である。浴槽装置１０１は、湯を溜める浴槽９０および吐水装置１００を備える。浴槽９０は、フランジ部９０ａに吐水装置１００が取り付けられている。吐水装置１００は、膜状の吐水流を吐出し、浴槽内で入浴するユーザの身体、例えば肩などに浴びせる。
【００１１】
吐水装置１００は、供給装置８０から水の供給を受ける。供給装置８０は、浴槽９０に溜められた水をポンプ８１によって吸い込み、吐水装置１００に水を供給する。供給装置８０は、止水弁８２が開状態のときに水を吐水装置１００へ送り出し、止水弁８２が閉状態のときに吐水装置１００への給水を停止する。供給装置８０は、図２に示す浴槽９０に溜められた水の循環系によるもの以外にも、図示しない給湯装置から取水するものでもよい。
【００１２】
図３は吐水装置１００の正面図、図４は図３に示すＡ−Ａ線による吐水装置１００の断面図である。吐水装置１００は、本体部１、吐出口２０および遮蔽部材３０を備える。本体部１は、左右方向の幅寸法が大きい直方体状であり、内部に吐出通路１０が形成されている。吐出口２０は、左右方向に幅が広いスリット状であり、浴槽９０を臨む本体部１の正面側に形成されている。
【００１３】
遮蔽部材３０は、板状であり、吐出口２０の上縁部において、基端部が左右方向の軸まわりに回動可能に支持されている。遮蔽部材３０は、基端部で上下方向に回動させることにより、先端側を、吐出口２０からの吐水流に触れさせることができる。実施形態１において、吐出口２０から吐出される水が到達する距離を可変する距離可変部３は、遮蔽部材３０によって構成されている。
【００１４】
本体部１は、下部に設けられた２つの給水部４０から水が供給される。本体部１の内部に形成される吐出通路１０は、貯留室１１および絞り流路１２を備える。貯留室１１は、給水部４０の内部に形成された給水路４１に連通し、上流側から流入する水を溜める。貯留室１１の左右方向の幅は、吐出口２０の左右方向の幅に相当する。尚、貯留室１１には、吐出口２０の左右方向の幅に相当する左右方向の幅を有する底部１１ａが設けられている。底部１１ａは、給水路４１に対応する位置に上下に貫通孔を有しており、該貫通孔を通して給水部４０から貯留室１１へ水が供給される。絞り流路１２は、貯留室１１に連通し、上下方向の幅が狭く、左右方向に幅が広い通路として形成されている。絞り流路１２の正面側の端部は、吐出口２０となっている。
【００１５】
次に実施形態１に係る吐水装置１００の動作について説明する。供給装置８０から給水路４１へ供給される水は、貯留室１１に一旦溜められ、絞り流路１２を通って吐出口２０から吐出される。吐出口２０は、左右方向に幅が広いスリット状に形成されており、膜状の吐水流を浴槽９０へ向けて吐出する。
【００１６】
遮蔽部材３０は、基端部において左右方向の軸まわりに回動させることで、先端部が上下に動き、吐出口２０からの吐水流に先端部を接触させることができる。遮蔽部材３０は、先端部を上げた状態では、吐出口２０からの吐水流に接触せず、吐水流が遠方に到達する。
【００１７】
遮蔽部材３０は、先端部を下げた状態では、吐出口２０からの吐水流に先端部が接触し、吐水流が吐水装置１００に近い側に到達する。吐水流が到達する位置は、遮蔽部材３０の先端部が吐水流に接触する角度に応じて変化させることができる。吐水装置１００は、遮蔽部材３０を上下に回動させることで、吐水流量に拠らず吐水流を変化させることができる。尚、遮蔽部材３０は、ユーザの手動によって遮蔽部材３０を上下させる構成としてもよいし、モータ等を設けて電動で遮蔽部材３０を上下させる構成としてもよい。また、遮蔽部材３０は、モータ等の電動によって遮蔽部材３０を上下に反復駆動させて吐出口２０からの吐水流をスイングさせることもできる。
【００１８】
（実施形態２）
図５（ａ）、図５（ｂ）および図５（ｃ）は、実施形態２に係る吐水装置１００における図３に示すＡ−Ａ線による断面に相当する断面図である。実施形態２に係る吐水装置１００は、絞り流路１２に案内部材３１が設けられている。案内部材３１は、左右方向の幅が吐出口２０の左右方向の幅に相当する矩形板状である。案内部材３１は、前後方向に摺動可能としてあり、吐出口２０から突出させることができる。実施形態２において、距離可変部３は、案内部材３１によって構成されている。
【００１９】
図５（ａ）に示す吐水装置１００では、絞り流路１２が概ね水平に形成されており、案内部材３１が絞り流路１２に沿って摺動して吐出口２０の下縁部から概ね水平に突出する。図５（ｂ）に示す吐水装置１００では、絞り流路１２が前方に向かうにつれて上がる傾斜を有しており、案内部材３１が絞り流路１２に沿って摺動して吐出口２０の下縁部から上向きに傾斜するように突出する。また、図５（ｃ）に示す吐水装置１００では、案内部材３１が絞り流路１２に沿って摺動して吐出口２０の上縁部から概ね水平に突出する。尚、吐水装置１００は、絞り流路１２が前方に向かうにつれて上がる傾斜を有し、案内部材３１が吐出口２０の上縁部から上向きに傾斜して突出するようにしてもよい。
【００２０】
吐水装置１００は、図５（ａ）に示すように案内部材３１を吐出口２０の下縁部から概ね水平に突出させることで、吐水流の自由落下が開始する位置を前方にずらすことができ、吐水流の到達位置を遠方に変化させることができる。吐水流が到達する位置は、吐出口２０からの案内部材３１の突出量に応じて変化させることができる。吐水装置１００は、案内部材３１を吐出口２０から突出させることで、吐水流量に拠らず吐水流を変化させることができる。
【００２１】
また、吐水装置１００は、図５（ｂ）に示すように案内部材３１を吐出口２０の下縁部から上向きに傾斜させて突出させることで、吐水流の自由落下が開始する位置を前方および上方にずらすことができ、吐水流の到達位置を更に遠方に変化させることができる。また、図５（ｃ）に示すように、案内部材３１を吐出口２０の上縁部から突出させることで、吐水流が案内部材３１の下面を伝わるように引っ張られ、吐水流の到達位置を遠方に変化させることができる。
【００２２】
（実施形態３）
図６（ａ）および図６（ｂ）は、実施形態３に係る吐水装置１００における図３に示すＡ−Ａ線による断面に相当する断面図である。実施形態３に係る吐水装置１００は、絞り流路１２に楔状部材３２が設けられている。楔状部材３２は、左右方向の幅が吐出口２０の左右方向の幅に相当し、前端が後端よりも薄い楔状に形成されている。また絞り流路１２は、吐出口２０に向かうにつれて上下方向の幅が狭くなる形状としてある。楔状部材３２は、前後方向に摺動可能としてあり、吐出口２０から突出させることができる。実施形態３において、距離可変部３は、楔状部材３２によって構成されている。
【００２３】
図６（ａ）に示す吐水装置１００では、楔状部材３２が絞り流路１２の上部側に配置されている。また図６（ｂ）に示す吐水装置１００では、楔状部材３２が絞り流路１２の下部側に配置されている。
【００２４】
吐水装置１００は、楔状部材３２を前方へずらすことによって、絞り流路１２の上下方向の幅を狭くすることができる。吐水装置１００は、絞り流路１２の上下方向の幅を狭くすることで吐水流の流速が増加し、吐水流の到達位置を遠方に変化させることができる。
【００２５】
吐水装置１００は、楔状部材３２を後方へずらすことによって、絞り流路１２の上下方向の幅を広くすることができる。吐水装置１００は、絞り流路１２の上下方向の幅を広くすることで吐水流の流速が低下し、吐水流の到達位置を吐水装置１００に近い位置に変化させることができる。吐水流が到達する位置は、楔状部材３２の前後方向の位置に応じて変化させることができる。吐水装置１００は、楔状部材３２の前後方向の位置によって、吐水流量に拠らず吐水流を変化させることができる。
【００２６】
（実施形態４）
図７は、実施形態４に係る吐水装置１００における図３に示すＡ−Ａ線による断面に相当する断面図である。実施形態４に係る吐水装置１００は、絞り流路１２の下流側に摺動部材３３が設けられている。摺動部材３３は、左右方向の幅寸法が大きい直方体状であり、吐水装置１００の正面側に吐出口２０を有する。摺動部材３３は前側の吐出口２０から後側へ貫通する通流路３３ａを有し、通流路３３ａが本体部１の絞り流路１２に連通している。実施形態３において、距離可変部３は、摺動部材３３によって構成されている。
【００２７】
摺動部材３３は、本体部１の前面を穿つように設けられた凹所１３に嵌め込まれており、上下方向に摺動可能としてある。摺動部材３３に設けられた通流路３３ａは、吐水流が膜状となるように上下方向の幅が狭い。一方、本体部１に設けられる絞り流路１２は、摺動部材３３を凹所１３の内部で上下方向に移動させた際に通流路３３ａとの連通を保つべく、通流路３３ａよりも上下方向の幅が広い。吐水流が通流路３３ａにおいて上下方向の幅が絞られることから、通流路３３ａは、絞り流路１２の一部をなしていると考えてもよい。
【００２８】
吐水装置１００は、摺動部材３３を上方へずらすことによって、吐出口２０の位置が上方へ移動し、吐水流の到達位置を遠方に変化させることができる。吐水装置１００は、摺動部材３３を下方へずらすことによって、吐出口２０の位置が下方へ移動し、吐水流の到達位置を吐水装置１００に近い位置に変化させることができる。
【００２９】
吐水流が到達する位置は、摺動部材３３の上下方向における位置に応じて変化させることができる。吐水装置１００は、摺動部材３３の上下方向における位置によって、吐水流量に拠らず吐水流を変化させることができる。
【００３０】
（変形例）
図８は、変形例に係る吐水装置１００における図３に示すＡ−Ａ線による断面に相当する断面図である。変形例に係る吐水装置１００は、絞り流路１２を上下方向に複数設け、絞り流路１２の下流側に切替部材３４が設けられている。切替部材３４は、左右方向の幅寸法が大きい直方体状であり、吐水装置１００の正面側に複数の吐出口２０を有する。切替部材３４は、前側の吐出口２０から後側へ貫通する複数の通流路３４ａを有し、通流路３４ａのうちの１つが本体部１の絞り流路１２に連通するように切り替える。この変形例において、距離可変部３は、切替部材３４および後述する遮蔽部材３０によって構成されている。
【００３１】
切替部材３４は、本体部１の前面を穿つように設けられた凹所１３に嵌め込まれており、上下方向に摺動可能としてある。切替部材３４に設けられた通流路３４ａは、吐水流が膜状となるように上下方向の幅が狭い。また、本体部１に設けられる絞り流路１２も、切替部材３４に設けられた通流路３４ａと同程度に上下方向の幅が狭い。
【００３２】
本体部１に設けられた複数の絞り流路１２の上下方向におけるピッチ寸法と、切替部材３４に設けられた複数の通流路３４ａの上下方向におけるピッチ寸法とが異なることで、通流路３４ａの１つが本体部１の絞り流路１２の１つに連通する。尚、図８に示す吐水装置１００では、本体部１に２つの絞り流路１２が設けられ、切替部材３４に２つの通流路３４ａが設けられている。
【００３３】
また、切替部材３４の上方には遮蔽部材３０が設けられており、遮蔽部材３０は、実施形態１と同様に、基端部において左右方向の軸まわりに回動可能に支持されている。
【００３４】
図８に示すように、切替部材３４を凹所１３の内部で上方向に移動させた状態で、切替部材３４に設けた上側の通流路３４ａが本体部１に設けた上側の絞り流路１２に連通し、切替部材３４の上側の吐出口２０から吐水流が吐出される。吐水装置１００は、切替部材３４における上側の吐出口２０から吐水流を吐出することで、吐水流の到達位置を遠方に変化させることができる。
【００３５】
切替部材３４を凹所１３の内部で下方向に移動させた状態で、切替部材３４に設けた下側の通流路３４ａが本体部１に設けた下側の絞り流路１２に連通し、切替部材３４の下側の吐出口２０から吐水流が吐出される。吐水装置１００は、切替部材３４における下側の吐出口２０から吐水流を吐出することで、吐水流の到達位置を吐水装置１００に近い位置に変化させることができる。
【００３６】
吐水流が到達する位置は、さらに遮蔽部材３０を上下方向に回動させることで変化させることができる。吐水装置１００は、切替部材３４の上下方向に移動させ、さらに遮蔽部材３０上下に回動させることで、吐水流量に拠らず吐水流を変化させることができる。
【００３７】
次に、各実施形態および変形例の吐水装置１００の特徴を説明する。
本発明の実施形態および変形例に係る吐水装置１００は、左右方向の幅が広いスリット状の吐出口２０を備え、水を浴槽９０へ吐出する。吐水装置１００は、吐出口２０から吐出される水が到達する距離を可変する距離可変部３を有する。これにより、吐水装置１００は、吐水流量に拠らず吐水流を変化させることができる。
【００３８】
また距離可変部３は、吐出口２０の上縁部から前方へ延び、上縁部に左右方向の軸まわりに回動可能に支持された遮蔽部材３０を有する。吐水装置１００は、遮蔽部材３０を上下方向へ回動させることで吐水流が到達する距離を変化させることができる。
【００３９】
また距離可変部３は、吐出口２０の上縁部または下縁部から突出可能な案内部材３１を有する。これにより、吐水装置１００は、案内部材３１を吐出口２０から突出させることで、吐水流が到達する距離を変化させることができる。
【００４０】
また距離可変部３は、前後方向に摺動して吐出口２０の上下方向の幅を可変する楔状部材３２を有する。これにより、吐水装置１００は、楔状部材３２の前後方向の位置によって、吐水流が到達する距離を変化させることができる。
【００４１】
また距離可変部３は、吐出口２０が形成されており、上下方向に摺動して吐出口２０の上下方向の位置を可変する摺動部材３３を有する。これにより、吐水装置１００は、摺動部材３３の上下方向における位置によって、吐水流が到達する距離を変化させることができる。
【００４２】
また距離可変部３は、複数の吐出口２０が上下方向に併設されており、上下方向に摺動して水を吐出する吐出口２０を切り替える切替部材３４を有する。これにより、吐水装置１００は、切替部材３４の上下方向に移動させることによって、吐水流が到達する距離を変化させることができる。
【００４３】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４４】
２０  吐出口、  ３  距離可変部、  ３０  遮蔽部材、  ３１  案内部材、
３２  楔状部材、  ３３  摺動部材、  ３４  切替部材、  ９０  浴槽、
１００  吐水装置。
【図１】
2019208636.tif 000003
【図２】
2019208636.tif 000004
【図３】
2019208636.tif 000005
【図４】
2019208636.tif 000006
【図５】
2019208636.tif 000007
【図６】
2019208636.tif 000008
【図７】
2019208636.tif 000009
【図８】
2019208636.tif 000010